(57)【要約】      （修正有）【課題】簡易な構成によって速度変調の感度を効果的に向上させることができる陰極線管装置を提供する。【解決手段】陰極線管装置１０は、電子銃２４を内包するネック部と、電子銃２４から射出された電子ビームの射突により発光する蛍光体スクリーン２８を内装したフェースパネル２０と、ネック部からフェースパネル２０まで略漏斗状に広がるファンネル２２とを有するガラス容器と、電子銃２４から射出された電子ビームを偏向走査するための偏向コイルと、電子ビームの水平走査速度を変調するためにネック部の外周に設けられた速度変調コイル１８と、速度変調コイル１８の外側からネック部の外周を包囲する磁性体リング５０とを備え、磁性体リング５０の垂直方向に沿った内径Ｖは、水平方向に沿った内径Ｈよりも小さい。【選択図】図３
2005222810.tif 000002
【特許請求の範囲】
【請求項１】
電子銃を内包するネック部と、前記電子銃から射出された電子ビームの射突により発光する蛍光体スクリーンを内装したパネル部と、前記ネック部から前記パネル部まで略漏斗状に広がるファンネル部とを有するガラス容器と、
前記電子銃から射出された電子ビームを偏向走査するための偏向コイルと、
前記電子ビームの水平走査速度を変調するために前記ネック部の外周に設けられた速度変調コイルと、
前記速度変調コイルの外側から前記ネック部の前記外周を包囲する磁性体とを備えた陰極線管装置において、
前記磁性体の垂直方向に沿った内径は、水平方向に沿った内径よりも小さいことを特徴とする陰極線管装置。
【請求項２】
前記磁性体は、略リング形状をしている請求項１に記載の陰極線管装置。
【請求項３】
前記電子銃は、主レンズを形成する第１および第２電極を含み、
前記磁性体は、前記第１電極と前記第２電極との間の間隙に対応する位置に配置されている請求項１に記載の陰極線管装置。
【請求項４】
前記磁性体は、Ｎｉ−Ｚｎフェライトの焼結体を含む請求項１に記載の陰極線管装置。
【請求項５】
前記磁性体は、樹脂と磁性体粉末との混合物を含む請求項１に記載の陰極線管装置。
【請求項６】
前記偏向コイルは、前記電子ビームを水平方向に偏向走査するための水平偏向コイルと、前記電子ビームを垂直方向に偏向走査するための垂直偏向コイルとを含み、
前記速度偏向コイルは、前記速度偏向コイルが発生する磁界と前記水平偏向コイルが発生する磁界との相互干渉によって前記蛍光体スクリーン上の画像に生じるリンキングの発生を防止するために、前記ネック部の軸方向に沿って前記水平偏向コイルから離れた位置に配置されている請求項１に記載の陰極線管装置。
【発明の詳細な説明】
【技術分野】
【０００１】
本発明は、テレビ受像機およびコンピュータディスプレイに設けられる陰極線管装置に関し、特に速度変調コイルを備えた陰極線管装置に関する。
【背景技術】
【０００２】
テレビ受像機における高画質化を実現する方法の１つに、例えば画像の輪郭強調がある。この輪郭強調のために速度変調コイルが陰極線管装置に設けられる。速度変調コイルは、陰極線管装置のネック部またはその近傍に設けられ、垂直方向に沿った磁界を発生して電子ビームの水平走査速度を変調することによって画像の輪郭を強調する（例えば実公昭５７−４５６５０号公報（特許文献１）参照）。
【０００３】
近年の大画面化による蛍光体スクリーン上における電子ビームスポット径の増大と、高輝度化による陽極電圧の上昇と、前面パネルのフラット化とに伴って、画像の輪郭強調のために速度変調コイルから発生する磁界の強度の一層の向上が要求されている。
【０００４】
特開平６−２８３１１３号公報（特許文献２）には、この磁界の強度を向上させるために、速度変調コイルに流す電流量を増大させることなく、かつ速度変調コイルの巻数を増やすことなく、電子ビームに作用する磁界の強度を向上させることができるカラー陰極線管装置が開示されている。
【０００５】
この特許文献２に記載のカラー陰極線管装置においては、ネック内に収容された電子銃の第５グリッド（Ｇ５電極）に設けられたＲ、ＧおよびＢの各電子ビームの通過孔の上下に磁性体を設けるとともに、このＧ５電極に対応するネック外周に速度変調コイルが設けられている。
【０００６】
この構成によって、速度変調コイルから発生した磁束が磁性体によって集束されるので、電子ビームの通過領域に磁束を集中させることができる。このため、電子ビームの速度変調に寄与する磁界の強度を向上させることができる。
【特許文献１】実公昭５７−４５６５０号公報
【特許文献２】特開平６−２８３１１３号公報
【発明の開示】
【発明が解決しようとする課題】
【０００７】
しかしながら、前述した特許文献２に記載のカラー陰極線管装置の構成では、金属部品である電極（Ｇ５電極）に磁束を集中させるため、その金属電極の表面に発生する渦電流による損失が増大する。このため、Ｇ５電極の内側の電子ビームが通過する領域に発生する磁界の強度の向上は、十分に期待できない。このように、特許文献２に記載のカラー陰極線管装置では、速度変調の感度（速度変調コイルへの入力電流に対する電子ビームの速度変調量）が期待するほどに向上しない。
【０００８】
さらに、磁性体とＧ５電極とは溶接によって接合されているため、磁性体とＧ５電極という小さな部品同士を溶接するための工数がかかり、製造コストが高くなるという問題がある。
【０００９】
本発明の目的は、簡易な構成によって速度変調の感度を効果的に向上させることができる陰極線管装置を提供することにある。
【課題を解決するための手段】
【００１０】
本発明に係る陰極線管装置は、電子銃を内包するネック部と、前記電子銃から射出された電子ビームの射突により発光する蛍光体スクリーンを内装したパネル部と、前記ネック部から前記パネル部まで略漏斗状に広がるファンネル部とを有するガラス容器と、前記電子銃から射出された電子ビームを偏向走査するための偏向コイルと、前記電子ビームの水平走査速度を変調するために前記ネック部の外周に設けられた速度変調コイルと、前記速度変調コイルの外側から前記ネック部の前記外周を包囲する磁性体とを備えた陰極線管装置において、前記磁性体の垂直方向に沿った内径は、水平方向に沿った内径よりも小さいことを特徴とする。
【発明の効果】
【００１１】
本発明によれば、簡易な構成によって速度変調の感度を効果的に向上させることができる陰極線管装置を提供することができる。
【発明を実施するための最良の形態】
【００１２】
本実施の形態に係る陰極線管装置においては、速度変調コイルの外側からネック部の外周を包囲する磁性体の垂直方向に沿った内径は、水平方向に沿った内径よりも小さい。このため、磁性体によって外周を包囲されたネック部の内側により一層磁束が集中する。従って、ネック部に内包された電子銃から出射する電子ビームは、ネック部の内側の磁束がより一層集中した領域を通過するので、電子ビームに作用する磁束の密度がより一層高くなる。その結果、速度変調コイルによる電子ビームに対する速度変調の感度をより一層向上させた陰極線管装置を提供することができる。
【００１３】
この実施の形態では、前記磁性体は、略リング形状をしていることが好ましい。
【００１４】
前記電子銃は、主レンズを形成する第１および第２電極を含み、前記磁性体は、前記第１電極と前記第２電極との間の間隙に対応する位置に配置されていることが好ましい。
【００１５】
前記磁性体は、Ｎｉ−Ｚｎフェライトの焼結体を含むものが好ましい。
【００１６】
前記磁性体は、樹脂と磁性体粉末との混合物を含むものが好ましい。
【００１７】
前記偏向コイルは、前記電子ビームを水平方向に偏向走査するための水平偏向コイルと、前記電子ビームを垂直方向に偏向走査するための垂直偏向コイルとを含み、前記速度偏向コイルは、前記速度偏向コイルが発生する磁界と前記水平偏向コイルが発生する磁界との相互干渉によって前記蛍光体スクリーン上の画像に生じるリンキングの発生を防止するために、前記ネック部の軸方向に沿って前記水平偏向コイルから離れた位置に配置されていることが好ましい。
【００１８】
以下、図面を参照して本発明の実施の形態を説明する。
【００１９】
図１は、本実施の形態に係るカラー陰極線管装置１０の構成を示す断面図である。カラー陰極線管装置１０は、カラー陰極線管１２と偏向ヨーク１４とＣＰＵ（Ｃｏｎｖｅｒｇｅｎｃｅ  ａｎｄ  Ｐｕｒｉｔｙ  Ｕｎｉｔ）１６と速度変調コイル１８とを備えている。
【００２０】
カラー陰極線管１２は、フェースパネル２０とファンネル２２とが接合されたガラスバルブからなる。ガラスバルブの中には、インライン型電子銃（以下、単に「電子銃」という）２４とシャドウマスク２６とが収容されている。
【００２１】
フェースパネル２０の内面には、赤、緑および青の各蛍光体ドットが規則正しく配列された蛍光体スクリーン２８が形成されている。蛍光体スクリーン２８とほぼ平行にシャドウマスク２６が設けられている。シャドウマスク２６には、電子ビーム通過孔が多数個形成され、電子銃２４から射出された３本の電子ビーム３０がそれぞれの蛍光体に正しく当たるように構成されている。
【００２２】
偏向ヨーク１４は、ファンネル２２の外側に設けられており、電子銃２４から射出される３本の電子ビーム３０を上下方向および左右方向に沿って偏向し、ラスタースキャン方式に従って蛍光体スクリーン２８上を走査させる。偏向ヨーク１４は、サドル型の水平偏向コイル３２とトロイダル型の垂直偏向コイル３４とを備えている。垂直偏向コイル３４は、フェライトコア３６に巻回されている。垂直偏向コイル３４と水平偏向コイル３２との間には、樹脂枠３８が設けられている。樹脂枠３８は、垂直偏向コイル３４と水平偏向コイル３２との間の電気的な絶縁状態を維持するとともに、両偏向コイル３２および３４を支持する。
【００２３】
図２は、ファンネル２２において円筒形をしたネック部４０付近の拡大断面図である。電子銃２４は、ネック部４０の内側に収納されている。電子銃２４は、図示しない３個のヒータによってそれぞれ加熱される３個のカソードＫ（図２には、紙面に垂直な方向に配列された３個のカソードのうちの手前の１個のカソードのみが示されている）と、カソードＫから管軸方向に沿って蛍光体スクリーン２８に向かって所定の間隔だけ離れて順番に配置された電極Ｇ１、Ｇ２、Ｇ３、Ｇ４、Ｇ５Ａ、Ｇ５ＢおよびＧ６と、電極Ｇ６に取り付けられたシールドカップＳＣとを備えている。電極Ｇ５Ｂと電極Ｇ６との間に主レンズが形成され、この主レンズによって各電子ビームが蛍光体スクリーン２８上に集束する。
【００２４】
ＣＰＵ１６は、電子ビームの静コンバーゼンス調整およびピュリティー調整を行うために電子銃２４に対応するネック部４０の外周に設けられている。ＣＰＵ１６は、円筒形をした樹脂枠４２と樹脂枠４２に取り付けられたピュリティー（色純度）磁石４４、四極磁石４６および六極磁石４８とを備えている。ピュリティー（色純度）磁石４４、四極磁石４６および六極磁石４８は、いずれも円環状をした２枚の磁石によってそれぞれ構成されている。
【００２５】
速度変調コイル１８は、一対のループコイル（以下、単に「コイル」という）１８Ａおよび１８Ｂを備えている。コイル１８Ａおよび１８Ｂは、ＣＰＵ１６の樹脂枠４２に取り付けられている。このように、速度変調コイル１８はＣＰＵ１６に一体的に取り付けられている。
【００２６】
図３（ａ）は速度変調コイル１８を説明するための概略斜視図であり、図３（ｂ）は管軸と直交する断面に沿った速度変調コイル１８の断面図であり、図３（ｃ）は速度変調コイル１８の平面図であり、図３（ｄ）は磁性体リング５０の構成を示す正面図である。
【００２７】
コイル１８Ａおよび１８Ｂは、素線径０．４ｍｍのポリウレタン被覆銅線が略長方形状に４巻されて構成されており、図３（ａ）に示すようにネック部４０の外周に沿って上下に対向する位置に配置されている。図３（ｂ）および図３（ｃ）に示すように、コイル１８Ａおよび１８Ｂは、それぞれ長さＬ１＝２５ｍｍ、平面展開したときの幅Ｗ１＝３５ｍｍであり、直径Ｄ１＝３６ｍｍの仮想円筒面に沿って樹脂枠４２に取り付けられた際の幅Ｗ２＝約３０ｍｍである。速度変調コイル１８には、映像信号を微分して得られる速度変調信号に応じた電流が通電される。
【００２８】
ネック部４０には、円環状をした磁性体リング５０が速度変調コイル１８の外側から外挿されている。磁性体リング５０には、磁性体リング５０の垂直方向に沿った内径が水平方向に沿った内径よりも小さくなるように、管軸に向かって突出した凸部５１ａ、５１ｂが設けられている。尚、磁性体リング５０は、Ｎｉ−Ｚｎフェライト系磁性体粉末の焼結体によって構成されており、この焼結体の固有抵抗値は１×１０4Ω・ｍである。
【００２９】
図３（ｄ）を参照すると、磁性体リング５０の水平方向に沿った内径Ｈ＝３８ｍｍであり、垂直方向に沿った内径Ｖ＝３６ｍｍであり、外径は４４ｍｍ、管軸方向に沿った長さは４ｍｍである。
【００３０】
磁性体リング５０は、樹脂枠４２に取り付けられており、その取り付け位置は、電極Ｇ５Ｂと電極Ｇ６との間の間隙に対応する位置である。このように磁性体リング５０は、速度変調コイル１８の外側から、電極Ｇ５Ｂと電極Ｇ６との間の間隙に対応する位置においてネック部４０を包囲するように設けられている。このように磁性体リング５０を設けることによって、ネック部４０内において電子ビーム３０に作用する磁束の密度を高めることができる。
【００３１】
図４（ａ）は磁性体リング５０を設けないときにネック部に生じる磁束を示す図であり、図４（ｂ）は磁性体リング５０を設けたときにネック部に生じる磁束を示す図である。図４（ａ）および図４（ｂ）はともに、速度変調コイル１８が設けられた位置において管軸に垂直な平面に沿ってネック部４０を切断した断面図である。
【００３２】
図４（ａ）および図４（ｂ）に示すように、磁性体リング５０を設けると、いわゆる有芯効果によって磁性体リング５０の内側（ネック部４０における電子ビームの通過領域）に磁束が集中する。このため、電子ビームに作用する磁束の密度が高くなる。特に、磁性体リング５０には、凸部５１ａ、５１ｂが設けられているので、有芯効果を一層向上させることができる。
【００３３】
しかも磁性体リング５０は、電子銃２４に設けられた電極Ｇ５Ｂと電極Ｇ６との間の間隙に対応する位置に設けられているので、電極における渦電流損の影響を可能な限り避けることができる。このため、速度変調の感度を効果的に向上させることができる。
【００３４】
図５（ａ）は電極Ｇ５ＡからシールドカップＳＣまでのネック部４０の拡大図であり、図５（ｂ）は磁性体リング５０を設けていないときの電極Ｇ５ＡからシールドカップＳＣまでの管軸中心に沿った磁束密度の変化を示すグラフであり、図５（ｃ）は磁性体リング５０を設けたときの電極Ｇ５ＡからシールドカップＳＣまでの管軸中心に沿った磁束密度の変化を示すグラフである。
【００３５】
図５（ａ）および図５（ｂ）を参照すると、電極Ｇ５Ａ、電極Ｇ５Ｂおよび電極Ｇ６が存在する管軸方向に沿った区間では、これらの電極によって発生する渦電流損に起因して、電極Ｇ５Ａ、電極Ｇ５Ｂおよび電極Ｇ６が存在しない区間（各電極間の間隙に対応する区間）と比較して磁束密度が低い。従来技術の構成では、この渦電流が発生する区間に磁束を集中させていたため、速度変調感度が十分に向上しなかった。
【００３６】
図５（ａ）および図５（ｃ）を参照すると、電極Ｇ５Ｂと電極Ｇ６との間の間隙に対応する位置に磁性体リング５０を設けたことによって、電極Ｇ５Ｂと電極Ｇ６との間の間隙における磁束密度が、磁性体リング５０を設けないときの約２倍になり、また磁界領域が電子銃のスクリーン側に延びていることがわかる。このため、速度変調感度が従来よりも向上する。
【００３７】
図６は、本実施の形態に係る速度変調信号の周波数（以下、「速度変調周波数」という）と速度効果指標との間の関係を示すグラフである。横軸は速度変調周波数を示しており、縦軸は蛍光体スクリーンの中央部における５％輝度径（電子ビームスポットの輝度のピークを１００％としたときに最低輝度から５％分カットして得られる電子ビームのスポット径）の電子ビームスポットの水平方向に沿った変位量（以下、「ビーム変位量」という）を相対的に示した変調効果指標を表している。
【００３８】
すなわち、速度変調周波数が１ＭＨｚの時における空芯の場合のビーム変位量を１００％として、その他の場合のビーム変位量を表している。磁性体リング５０を設けない空芯の場合と、ＭｇＺｎ系フェライトの焼結体によって磁性体リング５０を構成した場合と、ＮｉＺｎ系フェライトの焼結体によって磁性体リング５０を構成した場合とにおける速度変調感度を比較する比較試験を実施した。本比較試験においては、いずれの場合も速度変調コイルへの通電量は０．８アンペアとした。
【００３９】
図６に示すように、ＭｇＺｎ系フェライトの焼結体によって磁性体リング５０を構成した場合には、空芯の場合に対して速度変調効果を約１．５５倍に向上させることができた。ＮｉＺｎ系フェライトの焼結体によって磁性体リング５０を構成した場合においても、空芯の場合に対して速度変調効果を約１．２５倍に向上させることができた。
【００４０】
以上のように本実施の形態に係るカラー陰極線管によれば、電子ビームの水平走査速度を変調するためにネック部の外周に設けられた速度変調コイル１８の外側からネック部４０の外周を包囲する磁性体リング５０が設けられている。このため、磁性体リング５０によって外周を包囲されたネック部４０の内側に磁束が集中する。従って、ネック部４０に内包された電子銃２４から出射する電子ビームは、ネック部４０の内側の磁束が集中した領域を通過するので、電子ビームに作用する磁束の密度が高くなる。その結果、速度変調コイル１８による電子ビームに対する速度変調の感度を向上させた陰極線管装置を提供することができる。
【００４１】
図５（ｂ）に示すように、磁性体リング５０を設けない場合であっても、管軸上においては各電極が存在する区間と比較して各電極間の間隙における区間により多くの磁束が発生する。このため、電子銃が存在する区間における電子ビームの通過領域に、全体的に多くの磁束を発生させることを目的として、電極を分割して電極間の間隙の数を増やす手法が採用されることがある。しかしながら、この場合には部品点数の増加と組立工数の増加とによって電子銃のコストが増加する。
【００４２】
これに対して本実施の形態によれば、電極間の間隙の数を増やすために電極を分割する必要がないので、コストを増大させることなく電子ビームの通過領域における磁束密度を効果的に高めることができる。
【００４３】
本発明の実施の形態を説明してきたが、本発明は前述した実施の形態に限定されず、例えば以下に述べるような実施の形態とすることもできる。
【００４４】
前述した実施の形態では速度変調コイルと磁性体リングとはＣＰＵの樹脂枠に一体的に取り付けられていた。しかしながら、速度変調コイルと磁性体リングとは偏向ヨークに一体的に取り付けてもよい。
【００４５】
図７は、本実施の形態に係る他のカラー陰極線管装置に設けられたネック部およびその周辺を拡大した断面図である。図２を参照して前述した構成要素と同一の構成要素には同一の参照符号を付している。従って、これらの構成要素の詳細な説明は省略する。
【００４６】
偏向ヨークを構成する水平偏向コイル３２と垂直偏向コイル３６との間を絶縁し、および支持する樹脂枠５２は、ネック部４０まで延設されている。速度変調コイル５４および磁性体リング５０は、延設された樹脂枠５２に取り付けられている。このように、速度変調コイル５４および磁性体リング５０は偏向ヨークに一体的に取り付けられている。
【００４７】
ＣＰＵを構成するピュリティー磁石４４、四極磁石４６および六極磁石４８も樹脂枠５２に取り付けられている。このように、ＣＰＵは偏向ヨークと一体的に設けられている。
【００４８】
図７に示す例では、前述した図２に示す例よりも、速度変調コイル５４を水平偏向コイル３２側に延長して設けている。これは、シールドカップＳＣの蛍光体スクリーン側の端からはみ出す位置に速度変調コイル５４を配置することによって、このはみ出した部分に対応する電子ビーム通過区間（金属部品（各電極およびシールドカップ）が設けられていない区間）において速度変調コイル５４から磁束を発生させて、速度変調感度を少しでも向上させるためである。
【００４９】
しかしながら、速度変調コイル５４が、水平偏向コイル３２に近づきすぎると、速度変調コイル５４から発生する磁界と水平偏向コイル３２から発生する磁界とが過度に相互干渉する。このため、蛍光体スクリーン上の画像にいわゆるリンギングが生じるおそれがある。速度変調コイル５４を水平偏向コイル３２から距離Ｌ２＝８ｍｍ以上離れた位置に配置すると、前述したリンギングは生じない。
【００５０】
磁性体リング５０を電極Ｇ５Ｂと電極Ｇ６との間の間隙に対応する位置に設けるのは、この２個の電極の間の間隙において主レンズが形成され、主レンズを形成する電極間の間隙は一般的に他のいずれの電極間の間隙よりも広いからである。
【００５１】
しかしながら、本発明はこれに限定されない。磁性体リング５０を配置する位置は、電極Ｇ５Ｂと電極Ｇ６との間の間隙に対応する位置に限らず、他の電極の間の間隙に対応する位置であってもよい。ある電極とこれに隣接する他の電極との間の間隙に対応する位置であれば、電子ビーム通過領域に磁束を集中させることができるからである。
【００５２】
磁性体リングの個数は１個に限定されない。複数個の磁性体リングを複数個の間隙に対応する位置にそれぞれ配置してもよい。この構成によって、電子ビーム通過領域の全体における磁束密度がより一層高くなり、速度変調感度がより一層向上する。
【００５３】
図８は、本実施の形態に係る他の磁性体リング５６を示す斜視図である。前述した実施の形態では円環状の磁性体リングの例を示したが、垂直方向に沿った内径が水平方向に沿った内径よりも小さい構成の磁性体であれば、本発明はこれに限定されない。図８に示すような６角枠状の磁性体リング５６を設けてもよい。また７角枠以上の多角枠状の磁性体リングを設けてもよい。この場合、磁性体リングの形状は正多角枠状であることが好ましい。ネック部内に生じる磁束の対称性を確保するためである。また、垂直方向の辺の長さが水平方向の辺の長さよりも小さい矩形状の磁性体であっても、垂直軸が水平軸よりも小さい楕円形状の磁性体であっても構わない。さらにこれらの磁性体の垂直方向管軸側面に凸部を設けたものであっても構わない。
【００５４】
さらに前述した実施の形態では、完全に閉じた円環状の磁性体リングの例を示したが、本発明はこれに限定されない。電極間の間隙をネック部の外周から包囲する形状であれば前述した効果を奏することができるので、一部に切り欠きが形成されたＣ字状の磁性体リングを設けてもよく、２箇所以上の切り欠きが形成された磁性体リングを設けてもよい。
【００５５】
さらに、Ｎｉ−Ｚｎフェライトの焼結体によって構成された磁性体リングに限定されず、Ｍｇ−Ｚｎフェライトの焼結体によって構成された磁性体リングを設けてもよい。
【００５６】
さらに、焼結体に限定されず、Ｎｉ−ＺｎフェライトとＭｇ−Ｚｎフェライトとのいずれかの粉末を樹脂に混入して成形した磁性体リングを設けてもよい。焼結体によって構成する場合と比較してコストを下げることができるからである。
【産業上の利用可能性】
【００５７】
本発明は、テレビ受像機およびコンピュータディスプレイに設けられる陰極線管装置に適用することができ、特に速度変調コイルを備えた陰極線管装置に適用することができる。
【図面の簡単な説明】
【００５８】
【図１】本実施の形態に係るカラー陰極線管装置の構成を示す断面図である。
【図２】本実施の形態に係るカラー陰極線管装置のネック部付近の詳細な構成を示す拡大断面図である。
【図３】（ａ）は速度変調コイルを説明するための概略斜視図であり、（ｂ）は管軸と直交する断面に沿った速度変調コイルの断面図であり、（ｃ）は速度変調コイルの平面図であり、（ｄ）は磁性体リングの構成を示す正面図である。
【図４】（ａ）は磁性体リングを設けないときにネック部に生じる磁束を示す図であり、（ｂ）は磁性体リングを設けたときにネック部に生じる磁束を示す図である。
【図５】（ａ）は本実施の形態に係るカラー陰極線管装置に設けられたネック部の拡大図であり、（ｂ）は磁性体リングを設けていないときの磁束密度の変化を示すグラフであり、（ｃ）は磁性体リングを設けたときの磁束密度の変化を示すグラフである。
【図６】本実施の形態に係る速度変調周波数と速度効果指標との関係を示すグラフである。
【図７】本実施の形態に係る他のカラー陰極線管装置に設けられたネック部およびその周辺を拡大した断面図である。
【図８】本実施の形態に係る他の磁性体リングを示す斜視図である。
【符号の説明】
【００５９】
１０  陰極線管装置
１８  速度変調コイル
２０  フェースパネル
２２  ファンネル
２４  電子銃
２８  蛍光体スクリーン
５０  磁性体リング
【図１】
2005222810.tif 000003
【図２】
2005222810.tif 000004
【図３】
2005222810.tif 000005
【図４】
2005222810.tif 000006
【図５】
2005222810.tif 000007
【図６】
2005222810.tif 000008
【図７】
2005222810.tif 000009
【図８】
2005222810.tif 000010